(57)【要約】【課題】太陽電池パネルの取付作業を容易且つ安価に行なうこと。平板屋根材に対して固定金具をビス固定する際に平板屋根材のビス孔回りの雨仕舞いを安価に、しかも確実に且つ効率的に行なうこと。【解決手段】上下２段以上の平板屋根材２Ａ，２Ｂを防水カバー５にて覆うと共に、防水カバー５の上差込み片６を上段側の平板屋根材２Ａ，２Ｃとの重なり部分９の隙間に差し込み、防水カバー５の表面側に固定金具４を配置し、固定金具４の複数箇所に設けた固定部７のうち水上側Ａに位置する固定部７Ａを防水カバー５を介して上段側の平板屋根材２にビス固定し、水下側Ｂに位置する固定部７Ｂを防水カバー５を介して下段側の平板屋根材２にビス固定する。屋根１の各個所Ｐ１〜Ｐ４……に各々固定した固定金具４に対して太陽電池パネル３Ａを取り付ける構造である。【選択図】図１
2008274647.tif 000002
【特許請求の範囲】
【請求項１】
水下側から水上側に上下多段に葺き重ねられた平板屋根材からなる屋根の複数個所に、太陽電池パネルを平板屋根材に対して固定するための複数の固定金具が各々配置され、前記各々の固定金具が配置される屋根の各個所において、それぞれ、屋根の勾配方向に隣接する少なくとも上下２段以上の平板屋根材のそれぞれの表面露出部を連続して防水カバーにて覆うと共に、防水カバーの上端部に設けた上差込み片を、防水カバーで覆われる最上段の平板屋根材の水上側の上部とこれよりも上段側の平板屋根材の水下側の下部との重なり部分の隙間に差し込み、前記防水カバーの表面側に前記上下２段以上の平板屋根材に跨るようにして１つの固定金具を配置すると共に該１つの固定金具の複数箇所に設けられた固定部のうち水上側に位置する固定部を防水カバーの水上側の上部を介して上段側の平板屋根材にビス固定し、水下側に位置する固定部を防水カバーの水下側の下部を介して下段側の平板屋根材にビス固定するようにして、屋根の各個所に固定金具を各々固定し、各固定金具に対して太陽電池パネルを取り付けてなることを特徴とする太陽電池パネルの取付構造。
【請求項２】
前記各々の固定金具には、太陽電池パネルに対して取り付けられる太陽電池パネル取付具が設けられ、該太陽電池パネル取付具の位置を固定金具の固定位置に対して屋根の勾配方向に可変自在としたことを特徴とする請求項１記載の太陽電池パネルの取付構造。
【請求項３】
前記防水カバーの下端部に下方に突出する下係止片を設け、下係止片を防水カバーで覆われる最下段の平板屋根材の下端面に引っ掛けることで前記上差込み片の重なり部分間への差込み寸法を規制するようにしたことを特徴とする請求項１記載の太陽電池パネルの取付構造。
【請求項４】
前記防水カバーの裏面に、前記平板屋根材のビス孔回りを囲むように配置される防水パッキンを取り付けたことを特徴とする請求項１記載の太陽電池パネルの取付構造。
【発明の詳細な説明】
【技術分野】
【０００１】
本発明は、太陽電池パネルの取付構造に関するものである。
【背景技術】
【０００２】
従来から、平板屋根材に対して太陽電池パネルを固定する場合、太陽電池パネルの複数箇所に固定金具が予め固定されており、太陽電池パネルを屋根に載置した状態で、各固定金具を平板屋根材に対してそれぞれビスで固定するようにした取付構造が知られている（例えば、特許文献１参照）。
【０００３】
ところが上記特許文献１に見られる従来例では、工場で太陽電池パネルの複数箇所に予め固定金具が取り付けられた大型サイズの太陽電池パネルユニットを製造し、これを現場で屋根の上に運び、屋根の上で複数の固定金具を屋根の複数箇所にそれぞれビス固定する大掛かりな作業を行なう必要がある。しかも、複数の固定金具の取り付け途中で大型サイズの太陽電池パネルを手で支えながらの作業となり、このため傾斜した屋根上での高所作業に多大な労力及び時間がかかるなど、作業性及び安全性を向上させることが困難であった。
【特許文献１】特開２００５−３６５４８号公報
【発明の開示】
【発明が解決しようとする課題】
【０００４】
本発明は上記の従来の問題点に鑑みて発明したものであって、太陽電池パネルの取付作業を安全で無理のない姿勢で簡単に行なうことができ、これにより施工性が大幅に向上すると共に工場での生産性が向上し、さらに平板屋根材に対して固定金具をビス固定する際に、平板屋根材のビス孔回りの雨仕舞いを安価に、しかも確実に且つ効率的に行なうことができる太陽電池パネルの取付構造を提供することを課題とするものである。
【課題を解決するための手段】
【０００５】
前記課題を解決するために本発明は、水下側Ｂから水上側Ａに上下多段に葺き重ねられた平板屋根材２からなる屋根１の複数個所に、太陽電池パネル３Ａを平板屋根材２に対して固定するための固定金具４が各々配置され、前記各々の固定金具４が配置される屋根１の各箇所Ｐ１〜Ｐ４……において、それぞれ、屋根１の勾配方向に隣接する少なくとも上下２段以上の平板屋根材２Ａ，２Ｂ……のそれぞれの表面露出部８を連続して防水カバー５にて覆うと共に、防水カバー５の上端部に設けた上差込み片６を、防水カバー５で覆われる最上段の平板屋根材２Ａの水上側Ａの上部とこれよりも上段側の平板屋根材２Ｃの水下側Ｂの下部との重なり部分９の隙間に差し込み、前記防水カバー５の表面側に前記上下２段以上の平板屋根材２Ａ，２Ｂ……に跨るようにして１つの固定金具４を配置すると共に該１つの固定金具４の複数箇所に設けられた固定部７のうち水上側Ａに位置する固定部７Ａを防水カバー５の水上側Ａの上部を介して上段側の平板屋根材２Ａにビス固定し、水下側Ｂに位置する固定部７Ｂを防水カバー５の水下側Ｂの下部を介して下段側の平板屋根材２Ｂにビス固定するようにして、屋根１の各個所Ｐ１〜Ｐ４……に固定金具４を各々固定し、各固定金具４に対して太陽電池パネル３Ａを取り付けてなることを特徴としている。
【０００６】
このような構成とすることで、固定金具４と太陽電池パネル３Ａとを別体とし、複数の固定金具４を屋根１の複数個所Ｐ１〜Ｐ４……にビス固定してから、この固定金具４に対して太陽電池パネル３Ａを取り付けることができるので、従来のように太陽電池パネルと一体の固定金具を平板屋根材にビス固定する場合と比較して、太陽電池パネル３Ａの取付作業を安全で無理のない姿勢で行なうことができる。しかも、平板屋根材２に対して固定金具４をビス固定する際に、固定金具４が固定される上下２段以上の平板屋根材２Ａ，２Ｂ……を防水カバー５で覆うと共に、防水カバー５の上差込み片６を上段側の平板屋根材２Ｂ，２Ｃ間の重なり部分９に差し込むことにより、水上側Ａから流れ落ちる雨水が防水カバー５の上端部から防水カバー５の裏面へと回り込むことができず、防水カバー５の裏面側における平板屋根材２Ａ，２Ｂ……のビス孔回りｎへの雨水の浸入を防止できると共に、固定金具４に設けた水上側Ａに位置する固定部７Ａと水下側Ｂに位置する固定部７Ｂとが、防水カバー５で覆われる上下２段以上の平板屋根材２Ａ，２Ｂ……に対して各々固定されるので、各々の平板屋根材２Ａ，２Ｂ……においてビス締めによるクラックの発生を極力防止できると共に各々の平板屋根材２Ａ，２Ｂ……へのダメージを最小限に抑えることができるようになる。
【０００７】
また、前記各々の固定金具４には、太陽電池パネル３Ａに対して取り付けられる太陽電池パネル取付具１２が設けられ、該太陽電池パネル取付具１２の位置を固定金具４の固定位置に対して屋根１の勾配方向に可変自在とするのが好ましく、この場合、仮りに固定金具４の固定位置が勾配方向にずれている場合でも、固定部７の固定位置を調整することなく、太陽電池パネル取付具１２の位置を調整するだけで、太陽電池パネル３Ａの水平位置の調整を容易にでき、これにより太陽電池パネル３Ａの取付作業が容易となり、取付効率がより一層向上する。
【０００８】
また、前記防水カバー５の下端部に下方に突出する下係止片１０を設け、下係止片１０を防水カバー５で覆われる最下段の平板屋根材２の下端面に引っ掛けることで前記上差込み片６の重なり部分９間への差込み寸法ｍを規制するのが好ましく、この場合、下係止片１０を防水カバー５で覆われる最下段の平板屋根材２の下端面に引っ掛けることで、上差込み片６の重なり部分９間への差込み寸法ｍを規制することができ、これにより平板屋根材２に対する防水カバー５の位置決めが容易となり、防水カバー５の取り付け精度を容易に確保できると共に、水下側Ｂからの雨水の吹き込みに対する耐性が向上し、平板屋根材２Ａ，２Ｂ……のビス孔回りｎの防水効果がより確実に得られるものである。
【０００９】
また、前記防水カバー５の裏面に、前記平板屋根材２Ａ，２Ｂ……のビス孔回りｎを囲むように配置される防水パッキン１１を取り付けるのが好ましく、この場合、雨水が防水カバー５の裏面に浸入した場合でも、その雨水は防水パッキン１１によって平板屋根材２Ａ，２Ｂ……のビス孔回りｎへの進行を防水パッキン１１によって阻まれることにより、平板屋根材２Ａ，２Ｂ……のビス孔回りｎへの雨水の浸入防止効果をより高めることができる。
【発明の効果】
【００１０】
本発明は、固定金具と太陽電池パネルとを別体で構成したことにより、従来のように太陽電池パネルと一体の固定金具を平板屋根材にビス固定する場合と比較して、太陽電池パネルの取付作業を安全で無理のない姿勢で簡単に行なうことができ、これにより施工性が大幅に向上する効果が得られ、さらに、工場で固定金具と太陽電池パネルとを別々に作製できるので、工場での生産性が向上する効果が得られる。そのうえ平板屋根材に対して固定金具をビス固定する際に、平板屋根材のビス孔回りの雨仕舞いを安価に、しかも確実に且つ効率的に行なうことができる効果も得られる。
【発明を実施するための最良の形態】
【００１１】
以下、本発明を添付図面に示す実施形態に基いて説明する。
【００１２】
図１は、水下側Ｂから水上側Ａに上下多段に葺き重ねられた平板屋根材２の上に設置される屋根設置用設備３を、平板屋根材２に対して固定するための固定金具４の取付構造の一例を示す側面図である。
【００１３】
ここで、屋根設置用設備３として、太陽光で発電を行なう太陽電池パネル３Ａを説明する。
【００１４】
平板屋根材２は、例えばスレート瓦を例示するが、それ以外にセメント瓦、粘土瓦、樹脂瓦等でもよい。この種の平板屋根材２は軽量性及び取り扱い性の良さから近年多く用いられている。
【００１５】
本例では、左右方向に密接配置された横列の平板屋根材２が、水下側Ｂから水上側Ａへと上下に多段にわたって葺き重ねられていると共に、各段ごとに平板屋根材１／２枚分だけ左右にずらした状態でアスファルトルーフィング（図示せず）上に葺き重ねられている。
【００１６】
また、各平板屋根材２の小割感を出すため、各平板屋根材２の水下側Ｂの下部に、それぞれ、屋根１の勾配方向（軒棟方向）に直線状に延びるスリット部１５を左右方向（軒棟方向と直交する方向）に等間隔をあけて複数形成されている。
【００１７】
なお、図１中の１６は野地板、１７は瓦釘、Ａは屋根１の水上側（棟側）、Ｂは屋根１の水下側（軒側）をそれぞれ示している。
【００１８】
ここで本発明においては、太陽電池パネル３Ａの固定金具４が固定される平板屋根材２を覆うための防水カバー５を備えている。この防水カバー５は、平板屋根材２Ａ，２Ｂのビス孔回りｎへの雨水の浸入を防止し、さらに平板屋根材２Ａ，２Ｂのビス孔に注入されるコーキング剤１８が切れたり、或いはコーキング剤１８の注入忘れがあった場合でも、その部分からの水漏れも防止する働きをする。図２（ａ）は防水カバー５の平面図、（ｂ）は側面図、（ｃ）は屋根１の勾配方向に隣接する上下２段（或いは上下３段以上でもよい）の平板屋根材２Ａ，２Ｂのそれぞれの表面露出部８を連続して覆う状態を説明する側面図である。本例では、防水カバー５の中央側に、上下２段の平板屋根材２Ａ，２Ｂの表面露出部８に沿うように折り曲げられた段部５ａが形成されており、防水カバー５の裏面が上下２段の平板屋根材２Ａ，２Ｂの表面露出部８にそれぞれ密着して敷設できるようになっている。
【００１９】
防水カバー５のサイズは、固定金具４よりも長く且つ固定金具４よりも巾広に形成されている。本例では、例えば図５（ｂ）のように下段側の１枚の平板屋根材２Ｂから上段側の左右２枚の平板屋根材２Ａ１，２Ａ２に跨って、計３枚の表面を覆う大きさを有している。具体的には巾は４５０ｍｍ、全長は４００ｍｍ程度とされるが、勿論この数値に限定されるものではない。なお、防水カバー５の材質は、鉄やステンレス等の板金のプレス加工品とか、ポリカーボネイトなどの樹脂成型品等を適用できるが、特に限定されない。
【００２０】
前記防水カバー５の上端部は上差込み片６となっている。上差込み片６は、図２（ｃ）のように防水カバー５で覆われる最上段の平板屋根材２Ａの水上側Ａの上部とこれよりも更に上段側の平板屋根材２Ｃの水下側Ｂの下部との重なり部分９の隙間に差し込まれる。このときの差込み寸法ｍは例えば４０ｍｍ程度とされる。上差込み片６は水上側Ａから流れ落ちる雨水が防水カバー５の上端部から裏面に回り込むのを防止する役目を果たし、さらに防水カバー５の上端部を平板屋根材２Ｃに対して固定する役目も果たす。
【００２１】
前記防水カバー５の下端部には、下方に突出する下係止片１０が設けられている。下係止片１０は防水カバー５で覆われる最下段の平板屋根材２Ｂの下端面に引っ掛けることで前記上差込み片６の重なり部分９間への差込み寸法ｍを規制できるようにしている。なお、下係止片１０の折り曲げ形状は図２のようなＬ字状、或いは図３のようなコ字形の折り返し形状のいずれでもよい。
【００２２】
前記防水カバー５の裏面には、図３（ａ）に示すように、平板屋根材２Ａ，２Ｂのビス孔回りｎを囲むように配置される防水パッキン１１が取着されている。この防水パッキン１１は、例えば底辺のない略台形状をしたエプトシーラー等のシーリング材で構成されている。防水パッキン１１は防水カバー５の裏面に万一雨水が浸入しても、この雨水が平板屋根材２Ａ，２Ｂのビス孔回りｎまで到達するのを阻止するものである。
【００２３】
一方、防水カバー５の表面側には、図４に示す固定金具４が配置される。固定金具４は、防水カバー５で覆われた上下２段の平板屋根材２Ａ，２Ｂに跨るようにして配置される断面逆Ｕ字形に形成されており、その上面には固定金具４の長さ方向に沿って一直線状の溝１４が開口しており、この溝１４の中に太陽電池パネル取付具としてのナット付き連結ボルト１２（図１）がスライド嵌合され、屋根１の勾配方向に可変自在とされている。
【００２４】
前記固定金具４の前部及び後端部には、それぞれ左右一対の平板状の固定部７が突設されている。各固定部７には、パッキン付ビス１３（図１）を挿入するビス孔が開口している。ここでは、水上側Ａに位置する左右の固定部７Ａに挿入されるパッキン付ビス１３は、防水カバー５の水上側Ａの上部を貫通して上段側の平板屋根材２Ａに打ち込まれるものであり、水下側Ｂに位置する固定部７Ｂに取り付けたパッキン付ビス１３は防水カバー５の水下側Ｂの下部を貫通して下段側の平板屋根材２Ｂに打ち込まれるものである。また本例では図１のように、水上側Ａのパッキン付ビス１３は、上段側の平板屋根材２Ａと下段側の平板屋根材２Ｂとの重なり部分９を貫通して野地板１６に打ち込まれ、一方、水下側Ｂのパッキン付ビス１３は、下段側の平板屋根材２Ｂとそれよりも下段側の平板屋根材２との重なり部分９を貫通して野地板１６に打ち込まれるようになっている。
【００２５】
次に、前記平板屋根材２の上に固定金具４、太陽電池パネル３Ａを順に設置する手順を図５、図８を参照して説明する。
【００２６】
図５（ａ）に示す既存の屋根１において、先ず、図５（ｂ）のように屋根１の所定箇所に葺き重ねられている上下２段の平板屋根材２Ａ，２Ｂのそれぞれの表面露出部８を連続して覆うように防水カバー５を配置する。このとき図２（ｃ）のように、防水カバー５の上端部に設けた上差込み片６を、防水カバー５で覆われる最上段の平板屋根材２Ａの水上側Ａの上部とこれよりも上段側の平板屋根材２Ｃの水下側Ｂの下部との重なり部分９の隙間に差し込む。
【００２７】
その後、図５（ｃ）のように、防水カバー５の表面側に、前記上下２段の平板屋根材２Ａ，２Ｂに跨るようにして固定金具４を配置する。この段階では平板屋根材２への固定は行なわない。
【００２８】
その後、図５（ｄ）に示す電動穴あけ工具２０ａで防水カバー５及び上下２段の平板屋根材２Ａ，２Ｂに対して、それぞれ先穴をあけ、ダストポンプ（図示せず）で切削粉を除去してから、図５（ｅ）に示すコーキング剤供給装置１９を用いて、先穴内にコーキング剤１８を注入する。
【００２９】
その後、固定金具４の複数箇所に設けられた固定部７Ａ，７Ｂのうち、水上側Ａに位置する固定部７Ａに取り付けたパッキン付ビス１３（図１）を図５（ｆ）に示す電動ドライバー２０ｂで防水カバー５の先穴を貫通して上段側の平板屋根材２Ａの先穴に打ち込む。同様にして、水下側Ｂに位置する固定部７Ｂに取り付けたパッキン付ビス１３を防水カバー５の先穴を貫通して下段側の平板屋根材２Ｂの先穴に打ち込むことにより、防水カバー５の取り付けを終了する（図６の状態）。ここで、防水カバー５及び平板屋根材２Ａ，２Ｂに先孔を事前にあけておくことにより、ビスの打ち込み時に防水カバー５や平板屋根材２が持ち上がったり、割れたりするのを防止でき、ビス止め作業が容易となる。
【００３０】
その後、図７のように、固定金具４の溝１４内に太陽電池パネル取付具としてのナット付き連結ボルト１２をスライド自在に嵌め込む。
【００３１】
上記一連の防水カバー５及び固定金具４の取付作業を、屋根１の４箇所（図８（ａ）の４箇所Ｐ１〜Ｐ４）においてそれぞれ行なう。
【００３２】
その後、図８（ｂ）のように、上下一対の横桟２１を各固定金具４に設けたナット付き連結ボルト１２を用いて取り付け、最後に、図８（ｃ）のように、横桟２１に対して太陽電池パネル３Ａを取り付ける。なお、図８の横桟２１を用いた取り付け方法に代えて、図９のように横桟２１を用いず、屋根１の例えば６箇所Ｐ１〜Ｐ６に固定金具４を固定し、各固定金具４のナット付き連結ボルト１２に対して太陽電池パネル３Ａを直接取り付けることも可能である。
【００３３】
しかして、前記構成のように固定金具４と太陽電池パネル３Ａとを別体とし、複数の固定金具４を屋根１の複数個所Ｐ１〜Ｐ４……にビス固定してから、この固定金具４に対して太陽電池パネル３Ａを取り付けることができるので、従来のように大型サイズの太陽電池パネルと一体の固定金具を平板屋根材にビス固定する場合と比較して、太陽電池パネル３Ａの取付作業を安全で無理のない姿勢で行なうことができ、これにより施工性が大幅に向上する効果が得られ、さらに、工場で固定金具４と太陽電池パネル３Ａとを別々に作製できるので、工場での生産性が向上する効果が得られる。
【００３４】
また現場では、固定金具４の溝１４の中に太陽電池パネル取付具としてのナット付き連結ボルト１２をスライド嵌合させて屋根１の勾配方向に可変自在となっているので、仮りに固定金具４の固定位置が勾配方向にずれている場合でも、ナット付き連結ボルト１２の位置を調整するだけで、太陽電池パネル３Ａの水平位置の調整を容易にでき、固定部７Ａ，７Ｂの固定位置を調整する必要がないため、太陽電池パネル３Ａの取付作業が容易となり、取付効率がより一層向上する。
【００３５】
また本例では、太陽電池パネル３Ａの固定金具４が固定される上下２段の平板屋根材２Ａ，２Ｂを防水カバー５で覆うと共に、防水カバー５の上差込み片６を防水カバー５の上端部よりも上段側に位置する平板屋根材２Ａ，２Ｃ間の重なり部分９に差し込むことにより、水上側Ａから流れ落ちる雨水が防水カバー５の上端部から防水カバー５の裏面へと回り込むことができず、防水カバー５の表面を伝って水下側Ｂへと排水される。従って、防水カバー５の裏面側における平板屋根材２Ａ，２Ｂのビス孔回りｎへの雨水の浸入を防止できるので、仮りに平板屋根材２Ａ，２Ｂのビス孔回りｎにクラックが生じている場合でも、雨水が該クラックに浸入することがなく、該クラックから小屋裏への漏水や腐食を確実に防止できる。しかも、防水カバー５は屋根１全体ではなく、固定金具４が取り付けられる上下２段の平板屋根材２Ａ，２Ｂに部分的に設置されるので、防水性を向上させつつ防水カバー５の小型化を図ることができ、この結果、防水カバー５によって平板屋根材２Ａ，２Ｂのビス孔回りｎの雨仕舞いを安価に且つ効率的に行なえるようになる。さらに、固定金具４に設けた水上側Ａに位置する固定部７Ａと水下側Ｂに位置する固定部７Ｂとが上下２段の平板屋根材２Ａ，２Ｂに対して各々固定されるので、各々の平板屋根材２Ａ，２Ｂにおいてビス締めによるクラックの発生を極力防止できると共に各々の平板屋根材２へのダメージを最小限に抑えることができる。
【００３６】
また、防水カバー５の裏面に、平板屋根材２Ａ，２Ｂのビス孔回りｎを囲むようにして防水パッキン１１が取り付けられているので、水上側Ａ及び横方向から防水カバー５の裏面に雨水が浸入しても、その雨水は防水パッキン１１によって平板屋根材２Ａ，２Ｂのビス孔回りｎへの進行を阻まれ、下方に排出される。また本例のように各段の平板屋根材２の水下側Ｂの下部にそれぞれ小割感を高めるためのスリット部１５が穿孔されている場合に、防水カバー５で覆われた上下２段の平板屋根材２Ａ，２Ｂにおいて、雨水が上段側の平板屋根材２Ａのスリット部１５から下段側の平板屋根材２Ｂとの重なり部分９に浸入する場合がある（図６の破線部分は雨水の浸入方向の一例を示している）。しかし、本例では、防水カバー５の裏面に平板屋根材２Ａ，２Ｂのビス孔回りｎを囲むようにして底辺のない略台形状をした防水パッキン１１が取り付けられているので、防水カバー５の裏面に浸入した雨水が防水パッキン１１にて阻止され、平板屋根材２Ａ，２Ｂのビス孔回りｎへ到達するのを防止できるようになる。
【００３７】
さらに、水下側Ｂからの雨水の吹き上げによって雨水が水下側Ｂから逆流する場合でも、防水カバー５の下端部から下方に突出する下係止片１０の存在によって防水カバー５の下端部から防水カバー５の裏面への雨水の浸入を防止できるようになり、結果、水下側Ｂからの雨水の吹き込みに対する耐性が向上し、平板屋根材２Ａ，２Ｂのビス孔回りｎの防水効果がより確実に得られるようになる。
【００３８】
また本例では、防水カバー５の下係止片１０を防水カバー５で覆われる最下段の平板屋根材２Ｂの下端面に引っ掛けることで、上差込み片６の重なり部分９間への差込み寸法ｍを規制することができる。平板屋根材２Ａ，２Ｂに対する防水カバー５の位置決めが容易となり、防水カバー５の取り付け精度を容易に確保でき、そのうえ薄板状の防水カバー５の下端から下係止片１０を折り曲げているため、防水カバー５の剛性が強くなる。従って、上下２段の平板屋根材２Ａ，２Ｂの適切な位置に防水カバー５を介して太陽電池パネル３Ａの固定金具４を簡単且つ強固に取り付けることができ、施工性及び防水性がより向上する利点もある。
【００３９】
前記実施形態では太陽電池パネル３Ａを例示したが、これに類する太陽熱を収集して温水として利用する太陽熱集熱パネルとか、植物を植えた緑化パネルなどにも広く適用可能である。
【図面の簡単な説明】
【００４０】
【図１】本発明の一実施形態の太陽電池パネルの固定金具の取付構造を説明する側面図である。
【図２】（ａ）は同上の防水カバーの表面の説明図、（ｂ）は（ａ）の概略側面図、（ｃ）は防水カバーを上下２段の平板屋根材の表面露出部に沿って敷設する状態を説明する側面図である。
【図３】（ａ）は同上の防水カバーの裏面に設けられる防水パッキンの説明図、（ｂ）は防水カバーの概略側面図である。
【図４】（ａ）〜（ｄ）は同上の固定金具の平面図、正面図、左側面図、右側面図である。
【図５】（ａ）〜（ｆ）は同上の固定金具を防水カバーを介して平板屋根材に対してビス固定する手順を説明する説明図である。
【図６】同上の防水カバー裏面の防水パッキンにより雨水が平板屋根材のビス孔回りに浸入するのを防止する場合の説明図である。
【図７】同上の固定金具に太陽電池パネル取付具をスライド自在に取り付けた場合の説明図である。
【図８】（ａ）〜（ｃ）は同上の平板屋根材の上に固定した固定金具に対して横桟を介して太陽電池パネルを設置する手順の一例を説明する説明図である。
【図９】（ａ）（ｂ）は同上の平板屋根材の上に固定した固定金具に対して太陽電池パネルを直接設置する手順の一例を説明する説明図である。
【符号の説明】
【００４１】
１  屋根
２  平板屋根材
３Ａ  太陽電池パネル
４  固定金具
５  防水カバー
６  上差込み片
７  固定部
８  表面露出部
９  重なり部分
１０  下係止片
１１  防水パッキン
１２  太陽電池パネル取付具
ｍ  差込み寸法
ｎ  平板屋根材のビス孔回り
【図１】
2008274647.tif 000003
【図２】
2008274647.tif 000004
【図３】
2008274647.tif 000005
【図４】
2008274647.tif 000006
【図５】
2008274647.tif 000007
【図６】
2008274647.tif 000008
【図７】
2008274647.tif 000009
【図８】
2008274647.tif 000010
【図９】
2008274647.tif 000011